(57)【要約】【課題】  追記型ディスクであっても容易に再生順序を設定できるようにコンテンツデータの再生順序を設定した再生順序情報を複数記録する光ディスク記録装置を提供する。【解決手段】  ＤＶＤレコーダ１は、ＤＶＤ−Ｒ１０に対してＤＶＤ−ＶＲ方式（ＶＲモード）でデータを記録することができ、ＤＶＤ−Ｒ１０に複数のコンテンツデータをＶＲモードで記録する際には、各コンテンツデータの再生順序を表す情報であるプレイリストを複数作成して、各コンテンツデータとともに追記型光ディスクに記録する。したがって、この追記型光ディスクを再生する際には、ユーザは複数のプレイリストの中から好みのものを選択することで、各コンテンツの再生順序を設定することなく容易に所望の順序でコンテンツを再生させることができる。【選択図】  図３
2006018957.tif 000002
【特許請求の範囲】
【請求項１】
コンテンツ毎にそのコンテンツデータを記憶するハードディスクと、
前記ハードディスクから読み出したコンテンツデータを記録型ＤＶＤに記録する光ディスク記録手段と、を備えた光ディスク記録装置において、
前記ハードディスクが記憶するコンテンツの中から光ディスクへ記録するコンテンツの選択を受け付ける選択受付手段と、
前記選択受付手段が受け付けたコンテンツが複数であれば、これら選択された複数のコンテンツの再生順序を規定する、それぞれ内容の異なるプレイリストを複数作成するプレイリスト作成手段と、を備え、
前記ハードディスクは、コンテンツデータをＤＶＤ−ＶＲ方式で記憶するとともに、コンテンツデータ毎にその記録日時、ジャンル情報を含むインデックス情報を記憶し、
前記プレイリスト作成手段は、前記選択された各コンテンツデータのインデックス情報を参照し、このインデックス情報に基づいて、
各コンテンツデータを記録日時順に再生するように規定するプレイリスト、
特定のジャンルのコンテンツのみを再生するように規定するプレイリスト、
及び各コンテンツデータをジャンル毎に分類して、ジャンル毎に連続して再生するように規定するプレイリストの少なくともいずれか１つを含む複数のプレイリストを作成し、
前記光ディスク記録手段は、前記選択受付手段で選択された複数のコンテンツデータと、前記複数のプレイリストと、をＤＶＤ−ＶＲ方式によりＤＶＤ−Ｒへ記録することを特徴とする光ディスク記録装置。
【請求項２】
コンテンツ毎にそのコンテンツデータを記憶するコンテンツ記憶手段と、
前記コンテンツ記憶手段から読み出したコンテンツデータを記録型ＤＶＤに記録する光ディスク記録手段と、を備えた光ディスク記録装置において、
前記コンテンツ記憶手段が記憶するコンテンツの中から光ディスクへ記録するコンテンツの選択を受け付ける選択受付手段と、
前記選択受付手段が受け付けたコンテンツが複数であれば、これら選択された複数のコンテンツの再生順序を規定する、それぞれ内容の異なるプレイリストを複数作成するプレイリスト作成手段と、を備え、
前記光ディスク記録手段は、前記選択受付手段で選択された複数のコンテンツデータと、前記複数のプレイリストと、をＤＶＤ−ＶＲ方式によりＤＶＤ−Ｒへ記録することを特徴とする光ディスク記録装置。
【請求項３】
前記コンテンツ記憶手段は、コンテンツデータをＤＶＤ−ＶＲ方式で記憶する請求項２に記載の光ディスク記録装置。
【請求項４】
前記コンテンツ記憶手段は、コンテンツデータ毎にその記録日時、ジャンル情報を含むインデックス情報を記憶し、
前記プレイリスト作成手段は、前記選択された各コンテンツデータのインデックス情報を参照し、このインデックス情報に基づいて、
各コンテンツデータを記録日時順に再生するように規定するプレイリスト、
特定のジャンルのコンテンツのみを再生するように規定するプレイリスト、
及び各コンテンツデータをジャンル毎に分類して、ジャンル毎に連続して再生するように規定するプレイリストの少なくともいずれか１つを含む複数のプレイリストを作成する請求項２または３に記載の光ディスク記録装置。
【請求項５】
前記コンテンツ記憶手段は、ハードディスクである請求項２乃至４のいずれかに記載の光ディスク記録装置。
【発明の詳細な説明】
【技術分野】
【０００１】
本発明は、ハードディスクのような記憶手段に記憶させたコンテンツデータを光ディスクに記録する光ディスク記録装置に関する。
【背景技術】
【０００２】
従来、複数のテレビ番組をハードディスクに録画し、長期保存したい番組などを選択して、ＤＶＤ−Ｒのような追記型光ディスクやＤＶＤ−ＲＷ・ＤＶＤ−ＲＡＭのような書換型光ディスクへ番組のデータを記録することができる光ディスク記録装置があった。また、光ディスクに対する記録準備未完了の状態でも、仮想的に光ディスクに対して情報を即時記録することが可能な情報即時記録装置があった（例えば、特許文献１参照。）。
【特許文献１】特開２００２−１５２６５８号公報
【発明の開示】
【発明が解決しようとする課題】
【０００３】
従来の光ディスク記録装置は、書換型光ディスクにテレビ番組などのデータを記録する場合には、ビデオモード（ＤＶＤ−Ｖｉｄｅｏ方式）及びＶＲモード（ＤＶＤ−ＶＲ方式）の２種類のモードのいずれかを選択することが可能である。
【０００４】
ビデオモードは、ＤＶＤ−ＲＯＭに採用されている方式であり、このモードで光ディスクに記録された番組データは、例えば各番組データを記録した順番に再生するように再生順序が設定されている。そのため、番組データの再生順序を変更する場合には、ユーザが光ディスク再生装置を操作して再生順序を別途ブログラムする必要がある。
【０００５】
一方、ＶＲモードは、番組データの記録後に不要な部分のジャンプやデータの追加などデータの再生順序を編集することができ、編集後には光ディスク記録装置が光ディスクのプレイリストを書き換える。また、プレイリストを新たに追加することが可能であり、番組データの再生順序を複数設定可能であり、再生時に、プレイリストを選択することで、データの再生順序をプログラムすることなく容易に好みの順番にデータを再生することができた。
【０００６】
しかしながら、従来の光ディスク記録装置は、追記型光ディスクにテレビ番組などのデータを記録する場合には、プレイリストの書き換えができないのでＶＲモードを設定することができず、ビデオモード（ＤＶＤ−Ｖｉｄｅｏ方式）で記録を行っていた。そのため、追記型光ディスクに記録した番組データの再生順序を変更したい場合には、光ディスク再生装置に毎回再生順序を設定しなければならず、手間がかかるという問題があった。
【０００７】
そこで、本発明は、追記型ディスクであっても容易に再生順序を設定できるようにコンテンツデータの再生順序を設定した再生順序情報を複数記録する光ディスク記録装置を提供することを目的とする。
【課題を解決するための手段】
【０００８】
この発明は、上記の課題を解決するための手段として、以下の構成を備えている。
【０００９】
（１）コンテンツ毎にそのコンテンツデータを記憶するコンテンツ記憶手段と、
前記コンテンツ記憶手段から読み出したコンテンツデータを記録型ＤＶＤに記録する光ディスク記録手段と、を備えた光ディスク記録装置において、
前記コンテンツ記憶手段が記憶するコンテンツの中から光ディスクへ記録するコンテンツの選択を受け付ける選択受付手段と、
前記選択受付手段が受け付けたコンテンツが複数であれば、これら選択された複数のコンテンツの再生順序を規定する、それぞれ内容の異なるプレイリストを複数作成するプレイリスト作成手段と、を備え、
前記光ディスク記録手段は、前記選択受付手段で選択された複数のコンテンツデータと、前記複数のプレイリストと、をＤＶＤ−ＶＲ方式によりＤＶＤ−Ｒへ記録することを特徴とする。
【００１０】
この構成においては、光ディスク記録装置は、コンテンツ記憶手段が記憶するコンテンツデータが複数選択されると、選択された複数のコンテンツデータの再生順序を規定し、それぞれ内容が異なるプレイリストを複数作成して、各コンテンツデータがプレイリストに基づいて再生されるように、ＤＶＤ−ＶＲ方式により追記型光ディスクへ記録する。したがって、この光ディスク記録装置で記録した追記型光ディスクをＤＶＤ−ＶＲ方式に対応した光ディスク再生装置で再生する場合には、ユーザは複数のプレイリストの中から所望の再生順序が規定されたものを選択することで、再生順序をプログラムしなくても好みに応じた順序でコンテンツが再生されるので、ユーザの手間を大幅に簡略化することができる。
【００１１】
（３）前記コンテンツ記憶手段は、コンテンツデータをＤＶＤ−ＶＲ方式で記憶することを特徴とする。
【００１２】
この構成においては、コンテンツ記憶手段はＤＶＤ−ＶＲ方式のフォーマットでコンテンツデータを記憶するので、追記型光ディスクにコンテンツデータを記録する際には、データフォーマットを変換することなく、直ちにコンテンツデータを記録することができる。したがって、ユーザは、選択したコンテンツデータを短時間で追記型光ディスクに記録させることができる。
【００１３】
（４）前記コンテンツ記憶手段は、コンテンツデータ毎にその記録日時、ジャンル情報を含むインデックス情報を記憶し、
前記プレイリスト作成手段は、前記選択された各コンテンツデータのインデックス情報を参照し、このインデックス情報に基づいて、
各コンテンツデータを記録日時順に再生するように規定するプレイリスト、
特定のジャンルのコンテンツのみを再生するように規定するプレイリスト、
及び各コンテンツデータをジャンル毎に分類して、ジャンル毎に連続して再生するように規定するプレイリスト、の少なくともいずれか１つを含む複数のプレイリストを作成することを特徴とする。
【００１４】
この構成においては、光ディスク記録装置は、記録日時順に各コンテンツデータを再生するように、またはジャンル毎に各コンテンツデータを再生するようにプレイリストを作成するので、ユーザは、この追記型光ディスクを再生する際に、上記のプレイリストを選択することで、例えば同じジャンルのコンテンツを連続して視聴することができ、コンテンツデータの再生順序を設定する手間を簡略化できる。
【００１５】
（５）前記コンテンツ記憶手段は、ハードディスクであることを特徴とする。
【００１６】
ハードディスクは、記憶媒体の中では容量当たりの単価が安く大容量のものでも比較的安価で容易に入手できるので、光ディスク記録装置にハードディスクを採用することで、大容量のものを採用した場合でも、コストアップを抑制できる。
【発明の効果】
【００１７】
本発明の光ディスク記録装置は、ＤＶＤ−Ｒのような追記型光ディスクにＶＲモードでコンテンツデータを記録でき、また、各コンテンツデータの再生順序を記した再生順序情報を自動的に複数個作成して各コンテンツデータとともに記録するので、ユーザはこの光ディスクを再生する際に、好みの再生順序で画像データを再生するプレイリストを選択することで、画像データの再生順序をプログラムすることなく画像データを好みの順序で再生させることができる。
【発明を実施するための最良の形態】
【００１８】
図１は、本実施の実施形態に係る光ディスク記録装置の概略構成を示したブロック図である。ＨＤＤ内蔵型の光ディスク記録装置であるＤＶＤレコーダ１は、ＤＶＤ記録再生部１１、ＨＤＤ（ハードディスクドライブ）１２、アンテナ１３に接続されたチューナ１４、データ処理部１５、入力端子１６、出力端子１７、制御部１８、記憶部１９、表示部２０、及び操作部２１を備えている。ＤＶＤ記録再生部１１は、図示を省略するがレーザ素子を備えた光ピックアップ、アクチュエータ、サーボ回路などを備えており、ＤＶＤ−Ｒ１０やＤＶＤ−ＲＷといった記録型ＤＶＤにデータを記録したり、ＤＶＤに記録されたデータを読み取ったりする。ＨＤＤ１２は、チューナ１４で受信したテレビ番組や入力端子１６を介して他の映像出力機器から出力されたコンテンツの映像データや音声データを記憶する。
【００１９】
チューナ１４は、アンテナ１３を介して、操作部２１で選択されたチャンネルの放送を受信して、現在放送されている番組の映像や音声のデータをデータ処理部１５へ出力する。
【００２０】
データ処理部１５は、チューナ１４や入力端子１６から送られてきた映像や音声を含むコンテンツデータをＨＤＤ１２へ出力する。また、ＤＶＤ記録再生部１１から出力されたコンテンツデータやＨＤＤ１２から読み出したコンテンツデータを、ＤＶＤ記録再生部１１や出力端子１７へ出力する。入力端子１６は、他の映像出力機器を接続して、この映像出力機器から出力されたコンテンツの映像データや音声データをデータ処理部１５へ入力するための端子である。図１には、一例としてビデオデッキ３を接続した場合を示している。
【００２１】
出力端子１７は、この端子に接続されたモニタ２へ、データ処理部１５から映像データや音声データを出力するための端子である。制御部１８は、ＤＶＤレコーダ１の各部を制御する。記憶部１９は、ファームウェアやＤＶＤレコーダ１で実行するプログラムなどを記憶している。表示部２０は、ユーザに伝達する事項などを文字や画像で表示する。操作部２１は、ＨＤＤ１２に記憶させる番組の設定、ＨＤＤ１２からＤＶＤ−Ｒ１０へデータを記録する際の設定、チューナ１４で受信するチャンネル設定などの操作を受け付けて、この操作に応じた信号を制御部１８へ出力する。
【００２２】
次に、ＤＶＤレコーダ１の動作について説明する。図２は、ＤＶＤレコーダの動作を説明するための図である。ＤＶＤレコーダ１は、ＤＶＤ−Ｒのような追記型光ディスクに対してＤＶＤ−ＶＲ方式（以下、ＶＲモードと称する。）でデータを記録することができる。ＤＶＤレコーダ１は、追記型光ディスクに複数のコンテンツデータをＶＲモードで記録する際には、各コンテンツデータの再生順序を規定する、それぞれ内容が異なるプレイリストを複数作成して、各コンテンツデータとともに追記型光ディスクに記録する。したがって、この追記型光ディスクを再生する際には、ユーザは複数のプレイリストの中から好みのものを選択することで、各コンテンツの再生順序を設定することなく容易に所望の順序でコンテンツデータを再生させることができる。
【００２３】
具体的には、ＤＶＤレコーダ１は、ＨＤＤ１２に複数のテレビ番組などのコンテンツデータが記録されている状態において、ユーザが操作部２１を操作して複数の番組をＤＶＤ−Ｒに記録するように設定した場合には、以下のようにしてプレイリストを複数作成する。
【００２４】
ユーザは、ＨＤＤ１２に記録したテレビ番組（コンテンツ）のうち、ドラマＤ１，Ｄ２、クイズＱ１，Ｑ２、歌番組Ｓ１，Ｓ２をＤＶＤ−Ｒ１０に記録するように操作部２１を操作した。ＤＶＤレコーダ１の制御部１８は、ＨＤＤ１２から、各番組のインデックス情報を読み出して、この情報に基づいて自動的に複数のプレイリストを作成する。ここで、ＨＤＤ１２には、コンテンツデータを記録する際に、番組の放送日時、録画日時、番組のジャンル、データ量などコンテンツデータの詳細な情報であるインディクス情報が記録されている。
【００２５】
例えば、制御部１８は、録画された日時の順にＤ１→Ｑ１→Ｓ１→Ｄ２→Ｑ２→Ｓ２という再生順序のプレイリスト１を作成する。また制御部１８は、同じジャンルの番組を連続して再生するパターンとして、Ｄ１→Ｄ２→Ｑ１→Ｑ２→Ｓ１→Ｓ２という再生順序のプレイリスト２、Ｄ１→Ｄ２→Ｓ１→Ｓ２→Ｑ１→Ｑ２という再生順序のプレイリスト３、Ｑ１→Ｑ２→Ｓ１→Ｓ２→Ｄ１→Ｄ２という再生順序のプレイリスト４、Ｑ１→Ｑ２→Ｄ１→Ｄ２→Ｓ１→Ｓ２という再生順序のプレイリスト５、Ｓ１→Ｓ２→Ｄ１→Ｄ２→Ｑ１→Ｑ２という再生順序のプレイリスト６、Ｓ１→Ｓ２→Ｑ１→Ｑ２→Ｄ１→Ｄ２という再生順序のプレイリスト７を作成する。さらに、制御部１８は、同じジャンルの番組だけを連続して再生するパターンとして、Ｄ１→Ｄ２という再生順序のプレイリスト８、Ｓ１→Ｓ２という再生順序のプレイリスト９、Ｑ１→Ｑ２という再生順序のプレイリスト１０を作成する。そして、ＤＶＤ−Ｒ１０にドラマＤ１，Ｄ２、クイズＱ１，Ｑ２、歌番組Ｓ１，Ｓ２の各番組データ（コンテンツデータ）をＶＲモードの記録方式で記録するとともに、このＤＶＤ−Ｒ１０の再生を行う際にいずれかのプレイリストを選択できるように、ＤＶＤ−Ｒ１０に”ＶＲ＿ＭＡＮＧＲ．ＩＦＯ”フォルダを作成して、このフォルダに全プレイリスト（プレイリスト１〜１０）を記録して、ファイナライズを行う。
【００２６】
このように、本発明の光ディスク記録装置では、ＤＶＤ−Ｒに記録するデータに応じて自動的に複数のプレイリストを作成するので、ユーザはこのＤＶＤ−ＲをＶＲモードに対応した光ディスク再生装置で再生する際に、所望のプレイリストを選択することで、番組の再生順序をプログラムすることなく、容易に所望の再生順序で複数の番組を再生することができる。
【００２７】
ここで、ＤＶＤレコーダ１では、ＨＤＤ１２にコンテンツデータを記録する際に、ＶＲモードでデータを記録するように設定することができる。これにより、ＨＤＤ１２からＤＶＤ−Ｒ１０へコンテンツデータを記録する際に、データを変換することなく短時間でＤＶＤ−Ｒ１０に各コンテンツデータを記録することができる。
【００２８】
また、ＤＶＤレコーダ１の例えば２００ギガバイト〜５００ギガバイトといった大容量のＨＤＤを採用することで、チューナ１４で受信したテレビ番組や入力端子１６を介して入力されたコンテンツデータをランダムに記録することが可能となる。したがって、ユーザは、例えば１クール分の番組データを録画してからＤＶＤ−Ｒ１０に複数の番組データを選択して記録することが可能となり、ユーザの所望の時間に編集作業を行うことが可能となる。また、ＨＤＤは他の記憶媒体と比較して容量当たりの単価が安いので、大容量のものを採用しても、ＤＶＤレコーダ１のコストアップを抑制できる。
【００２９】
次に、本発明の実施形態に係る光ディスク記録装置の動作についてフローチャートに基づいて説明する。図３は、光ディスク記録装置の動作を説明するためのフローチャートである。ここで、ＨＤＤ１２には、チューナ１４で受信した複数の番組が予め記憶されている。
【００３０】
ユーザは、ＨＤＤ１２に記録されている番組のリストをモニタ２に表示させるために、操作部２１を操作する。制御部１８は、操作部２１において上記の操作が行われたことを検出すると（ｓ１）、データ処理部１５に、ＨＤＤ１２に記録している番組データのリストをＨＤＤ１２から読み出して出力端子１７へ出力させる。また、モニタ２は、ＤＶＤレコーダ１の出力端子１７から出力されたデータを表示する（ｓ２）
ユーザは、ＨＤＤ１２に録画されている番組のリストがモニタ２に表示されると、このリストを確認しながら、操作部２１を操作してＤＶＤ−Ｒ１０に記録する複数の番組を選択して、選択が完了すると図外の完了ボタンを操作する。
【００３１】
制御部１８は、操作部２１における上記の操作を検出すると（ｓ３）、選択された番組のインデックス情報を読み出す（ｓ４）。
【００３２】
続いて、制御部１８は、選択された番組データをすべてＤＶＤ−Ｒ１０に記録可能であるか否かを、ＤＶＤ−Ｒ１０の容量情報及び選択された番組のインデックス情報に基づいて判定を行う（ｓ５）。制御部１８は、ＤＶＤ−Ｒ１０に全番組データを記録するのが不可能な場合には、記録できないことを表示部２０に表示させるか、または、データ処理部１５から出力端子１７を介してモニタ２へ信号を出力して、モニタ２にＤＶＤ−Ｒ１０へ全番組を記録できないことを表示させる（ｓ６）。
【００３３】
一方、ＤＶＤ−Ｒ１０に全番組データを記録可能な場合には、ＤＶＤ−Ｒ１０に記録する番組のインデックス情報に基づいて、ＶＲモードにおける複数のプレイリストを作成する（ｓ７）。そして、制御部１８は、このプレイリストともに、選択された各番組データをＶＲモードでＤＶＤ−Ｒ１０に記録し（ｓ８）、ファイナライズを行って（ｓ９）、処理を終了する。
【００３４】
以上のように、本発明の実施形態に係る光ディスク記録装置では、ＤＶＤ−Ｒのような追記型光ディスクに対してＤＶＤ−ＶＲ方式（ＶＲモード）でデータを記録することができ、追記型光ディスクに複数のコンテンツデータをＶＲモードで記録する際には、各コンテンツデータを再生する順序を表す情報であるプレイリストを複数作成して、各コンテンツデータとともに追記型光ディスクに記録する。したがって、この追記型光ディスクを再生する際には、ユーザは複数のプレイリストの中から好みのものを選択することができ、各コンテンツの再生順序を設定することなくコンテンツデータを容易に所望の順序で再生させることができる。
【図面の簡単な説明】
【００３５】
【図１】本実施の実施形態に係る光ディスク記録装置の概略構成を示したブロック図である。
【図２】ＤＶＤレコーダの動作を説明するための図である。
【図３】光ディスク記録装置の動作を説明するためのフローチャートである。
【符号の説明】
【００３６】
１−ＤＶＤレコーダ    ２−モニタ
１１−記録再生部    １２−位置検出部    １３−アンテナ
１４−チューナ    １５−データ処理部    １６−入力端子
１７−出力端子    １８  制御部    １９  記憶部
２０−表示部    ２１−操作部
【図１】
2006018957.tif 000003
【図２】
2006018957.tif 000004
【図３】
2006018957.tif 000005